(57)【特許請求の範囲】
【請求項１】
旋回体と、この旋回体の前側位置に取り付けられる作業装置と、上記旋回体の後側位置に取り付けられるカウンタウェイトと、上記旋回体上に配置される運転席と、この運転席の上方を覆うキャノピと、このキャノピの箇所に配置される収納箱とを備えた建設機械において、
上記カウンタウェイト上に設けられ、上記キャノピの支柱の下端が固定される台座と、上記台座、または上記台座に固定される保持部材に保持され、上記収納箱が収容されるホルダとを備え、
上記ホルダを上記運転席の背もたれに沿って配置し、
上記ホルダに正規に収納させた上記収納箱の上端部が、平面視で上記カウンタウェイトの外周面よりも突出しないように上記ホルダを配置したことを特徴とする建設機械。
【請求項２】
請求項１に記載の建設機械において、
上記ホルダを傾斜させて配置したことを特徴とする建設機械。
【請求項３】
請求項１に記載の建設機械において、
上記ホルダに雨水を排出させる開口部を形成したことを特徴とする建設機械。
【請求項４】
請求項１に記載の建設機械において、
上記ホルダに、上記ホルダへの上記収納箱の収納時、及び上記ホルダからの上記収納箱の取り出し時に、上記収納箱を把持する人の手との干渉を避ける切り欠き部を設けたことを特徴とする建設機械。
【発明の詳細な説明】
【技術分野】
【０００１】
本発明は、運転席を覆うキャノピの箇所に収納箱を備えたミニショベル等の建設機械に関する。
【背景技術】
【０００２】
この種の従来技術として、特許文献１に示されるものがある。この従来技術は旋回作業機であり、旋回機体の上に取り付けブラケットが固定され、この取り付けブラケットに、運転席の上方を覆うキャノピの支柱の水平方向に延設された下端部が保持されている。キャノピの支柱の下端部の上側であって運転席の背もたれ側に、グリースガンが収納される収納ボックス、すなわち収納箱が配置されている。この収納ボックスは、キャノピの支柱の下端部よりも上方に位置する１対の立設部分に保持されている。
【０００３】
また、収納ボックスは、ボックス本体と、このボックス本体を閉じることが可能な開閉蓋と、開閉蓋を回動させるヒンジを含む開閉蓋回動機構と、開閉蓋をボックス本体に対して係止させるキャッチ装置等を含む開閉蓋ロック機構とを備えている。
【先行技術文献】
【特許文献】
【０００４】
【特許文献１】特開平１０−１９７５号公報
【発明の概要】
【発明が解決しようとする課題】
【０００５】
上述した従来技術は、収納ボックスが開閉蓋回動機構及び開閉蓋ロック機構を備えたものであることから、構造が複雑で、製作費が高くなりやすい。
【０００６】
また、収納ボックスは、キャノピの支柱の１対の立設部分に保持されていることから、この収納ボックスの保持が不安定になりやすく、当該旋回作業機で実施される激しい作業等に伴って振動などによって収納ボックスがキャノピの支柱から脱落する虞がある。
【０００７】
また、収納ボックスは、旋回作業機に固定された取り付けブラケットに保持されるキャノピの支柱の下端部よりも上方に配置されることから、この収納ボックス自体の高さ寸法に制約を受けやすい。グリースガン等の高さ寸法の比較的小さな工具の収納などは可能であるものの、当該旋回作業機についての操作マニュアル等のように高さ寸法が大きな収納物を収納することはできない。すなわち、この従来技術は、運転席の背もたれの背面側に形成されるデッドスペースが有効には活用されていない。
【０００８】
本発明は、上述した従来技術における実情からなされたもので、その目的は、回動機構及びロック機構を要することなく収納箱を保持させることができ、また収納箱を安定して保持させることができ、また運転席の背もたれの背面側に形成されるデッドスペースを収納箱の収容領域として有効に活用させることができる建設機械を提供することにある。
【課題を解決するための手段】
【０００９】
この目的を達成するために、本発明は、旋回体と、この旋回体の前側位置に取り付けられる作業装置と、上記旋回体の後側位置に取り付けられるカウンタウェイトと、上記旋回体上に配置される運転席と、この運転席の上方を覆うキャノピと、このキャノピの箇所に配置される収納箱とを備えた建設機械において、上記カウンタウェイト上に設けられ、上記キャノピの支柱の下端が固定される台座と、上記台座、または上記台座に固定される保持部材に保持され、上記収納箱が収容されるホルダとを備え、上記ホルダを上記運転席の背もたれに沿って配置し、上記ホルダに正規に収納させた上記収納箱の上端部が、平面視で上記カウンタウェイトの外周面よりも突出しないように上記ホルダを配置したことを特徴としている。
【００１０】
このように構成した本発明は、キャノピの支柱の下端が固定された台座、または台座に固定される保持部材にホルダを備え、このホルダに収納箱を収容するようにしたことから、回動機構及びロック機構を要することなく収納箱を保持させることができる。
【００１１】
また、本発明は収納箱が、ホルダと、台座、または台座と保持部材とを介して、強固な構造体であるカウンタウェイトによって保持されるので、この収納箱の安定した保持を実現させることができる。
【００１２】
また、本発明は、カウンタウェイト上に設けられキャノピの支柱の下端が固定される台座、または台座に固定される保持部材にホルダを備えたことから、ホルダの内部及びホルダの上方部分を含めた空間部分を収納箱の収容領域として広く活用できる。すなわち本発明は、運転席の背もたれの背面側に形成されるデッドスペースを収納箱の収容領域として有効に活用させることができる。
【００１３】
また、本発明は、収納箱の収容領域をより広く確保することができ、運転席の背もたれの背面側に形成されるデッドスペースをより有効に活用させることができる。
【００１４】
また、本発明は、旋回体の旋回に際して、ホルダに正規に収容された収納箱が旋回体の周囲の物体と干渉することを防止することができる。
【００１５】
また、本発明は、上記発明において、上記ホルダを傾斜させて配置したことを特徴としている。
【００１７】
また、本発明は、上記発明において、上記ホルダに雨水を排出させる開口部を形成したことを特徴としている。
【００１８】
このように構成した本発明は、ホルダ内に雨水が浸入することがあっても、その雨水をホルダの開口部からホルダの外部へ排出させることができる。また、ホルダの内部を清掃する場合、清掃に活用された清掃液体をホルダの開口部からホルダの外部へ排出させることができる。
【００１９】
また、本発明は、上記発明において、上記ホルダに、上記ホルダへの上記収納箱の収納時、及び上記ホルダからの上記収納箱の取り出し時に、上記収納箱を把持する人の手との干渉を避ける切り欠き部を設けたことを特徴としている。
このように構成した本発明は、収納箱を手で把持して容易にホルダに収納させることができ、また、収納箱を手で把持してホルダから容易に取り出すことができ、この収納箱のホルダへの収容作業及びホルダからの取り出し作業を円滑に行うことができる。
【発明の効果】
【００２０】
本発明に係る建設機械は、従来技術におけるような回動機構やロック機構を要することなくホルダを介して収納箱を保持させることができ、従来に比べて構造が簡単で、製作費を安くすることができる。
【００２１】
また、本発明は、収納箱をホルダを介してカウンタウェイトに保持させることができるので、従来に比べて収納箱を安定して保持させることができ、信頼性の高い建設機械を実現させることができる。
【００２２】
また、本発明は、運転席の背もたれの背面側に形成されるデッドスペースを収納箱の収容領域として有効に活用させることができ、従来に比べて高さ寸法の大きな収納箱をホルダに収容させることができる。これに伴って本発明は、従来よりも高さ寸法の大きな収納物を収納箱に収納させることができる。
【図面の簡単な説明】
【００２３】
【図１】本発明に係る建設機械の第１実施形態を構成するミニショベルの要部を示す斜視図である。
【図２】図１の側面図である。
【図３】図２の要部拡大図である。
【図４】第１実施形態に備えられるキャノピを支持する台座部分を示す斜視図である。
【図５】第１実施形態に備えられるホルダ及び収納箱を背面側から見た斜視図である。
【図６】図５に示すホルダ及び収納箱を正面側から見た斜視図である。
【図７】第１実施形態に備えられるホルダを背面側から見た斜視図である。
【図８】図７に示すホルダの背面図である。
【図９】図７に示すホルダの平面図である。
【図１０】第１実施形態に備えられるホルダに収納箱を収納する直前の状態を示す斜視図である。
【図１１】第１実施形態に備えられるホルダに収納箱を収納する直前の状態を示す側面図である。
【図１２】本発明の第２実施形態に備えられるホルダ部分を示す要部斜視図である。
【図１３】横寸法の大きな収納箱を第２実施形態に備えられるホルダに収容するときの状態を示す背面図である。
【図１４】横寸法の小さな収納箱を第２実施形態に備えられるホルダに収容するときの状態を示す背面図である。
【図１５】図１３に示す状態のホルダを示す背面図である。
【図１６】図１３に示す状態のホルダを示す平面図である。
【図１７】本発明の第３実施形態に備えられるホルダ部分を示す要部斜視図である。
【図１８】図１７に示すホルダを背面側から見た斜視図である。
【図１９】図１８に示すホルダの背面図である。
【図２０】図１８に示すホルダの平面図である。
【発明を実施するための形態】
【００２４】
以下、本発明に係る建設機械の実施の形態を図面に基づいて説明する。
【００２５】
本発明に係る建設機械の第１実施形態は、例えば小型機械を構成するミニショベルである。このミニショベルは、図１，２に示すように、図示しない走行体と、この走行体上に配置される旋回体１と、この旋回体１の前側位置に取り付けられ、ブーム、アーム、バケット等を含む図示しない作業装置と、旋回体１の後側位置に取り付けられ、重量バランスを確保するカウンタウェイト２とを備えている。図示しない作業装置は、旋回体１の前側位置に設けられた図２に示す取り付けブラケット１ａに取り付けられる。
【００２６】
また、本第１実施形態は、旋回体１上に配置される運転席３と、この運転席３の上方を覆うキャノピ４と、このキャノピ４の支柱４ａの箇所に配置され、工具、操作マニュアル等が収納される収納箱７とを備えている。
【００２７】
また、本第１実施形態は、図３，４に示すように、カウンタウェイト２上に設けられ、キャノピ４の支柱４ａの下端が固定される台座５と、例えば両端がキャノピ４の支柱４ａのそれぞれに固定されるとともに、台座５に固定される保持部材６と、この保持部材６に固定され、上述した収納箱７が収容されるホルダ８とを備えている。なお、保持部材６は、ホルダ８を保持するとともに、キャノピ４の支柱４ａを安定して台座５上に設置する補強部材を兼ねている。
【００２８】
図２に示すように、上述したホルダ８は、運転席３の背もたれ３ａに沿って傾斜させて配置してある。また、同図２に示すように、ホルダ８に正規に収納された収納箱７の上端部７ａが、平面視でカウンタウェイト２の外周面２ａよりも突出しないようにホルダ８を配置してある。
【００２９】
また、図５〜９に示すように、ホルダ８には雨水を排出させる開口部８ｇを形成してある。また、このホルダ８には、ホルダ８への収納箱７の収納時、及びホルダ８からの収納箱７の取り出し時に、収納箱７を把持する人の手との干渉を避ける切り欠き部８ｈを設けてある。
【００３０】
すなわち、ホルダ８は同図５〜９に示すように、底板８ａと、この底板８ａの両端から立設される側板８ｂ，８ｃと、これらの側板８ｂ，８ｃに両端が接続される背面板８ｄと、側板８ｂ，８ｃに両端が接続され、背面板８ｄに対向するように配置される前面板８ｅとを備え、上部が収納箱７を収納可能な開放部８ｆとなっている。雨水を排出させる上述した開口部８ｇは、背面板８ｄの下側に形成してあり、上述した切り欠き部８ｈは、前面板８ｈの上部位置に形成してある。
【００３１】
底板８ａの下部には、ホルダ８を図３，４に示す保持部材６に取り付ける取り付け部８ｉを接続してある。この取り付け部８ｉには、図７に示すボルト９ａ，９ｂが挿入される穴部８ｉ１，８ｉ２を形成してあり、これらの穴部８ｉ１，８ｉ２に対向する底板８ａの部分には、ボルト９ａ，９ｂを回転させる図示しない締結具の挿入が可能な切り欠き状の穴部８ａ１，８ａ２を形成してある。ホルダ８は、取り付け部８ｉの穴部８ｉ１，８ｉ２に挿入されたボルト９ａ，９ｂによって図３，４に示す保持部材６に取り付けてある。
【００３２】
例えば、工具あるいは操作マニュアル等の収納物が収納された収納箱７は、図１０，１１に示すように、ホルダ８の開放部８ｆからホルダ８の内部に収容される。
【００３３】
このように構成した本第１実施形態は、キャノピ４の支柱４ｂの下端が固定された台座５に固定した保持部材６にホルダ８を備え、このホルダ８に収納箱７を収容するようにしたことから、回動機構及びロック機構を要することなく収納箱７を保持させることができる。これに伴い、本第１実施形態は、構造が簡単で、製作費を安くすることができる。
【００３４】
また、本第１実施形態は、収納箱７が、ホルダ８と保持部材６と台座５を介して、強固な構造体であるカウンタウェイト２によって保持されるので、この収納箱７を安定して保持させることができ、信頼性の高いミニショベルを実現させることができる。
【００３５】
また、本第１実施形態は、カウンタウェイト２上に設けられキャノピ４の支柱４ａの下端が固定される保持部材６に、すなわちカウンタウェイト２の上面に設けられる台座５に固定した保持部材６にホルダ８を備えたことから、ホルダ８の内部及びホルダ８の上方部分を含めた空間部分を収納箱７の収容領域として広く活用できる。すなわち、本第１実施形態は、運転席３の背もたれ３ａの背面側に形成されるデッドスペースを収納箱７の収容領域として有効に活用させることができる。また特に、ホルダ８を運転席３の背もたれ３ａに沿って傾斜させて配置してあることから、収納箱７の収容領域をより広く確保することができ、運転席３の背もたれ３ａの背面側に形成されるデッドスペースをより有効に活用させることができる。これにより本第１実施形態は、高さ寸法の大きな収納箱７をホルダ８に収納させることができ、上述したように操作マニュアル等のように高さ寸法の大きな収納物の収納箱７への収納が可能となる。
【００３６】
また、本第１実施形態は、ホルダ８に正規に収納させた収納物７の上端部７ａが、平面視でカウンタウェイト２の外周面２ａよりも突出しないようにホルダ８を配置したことから、旋回体１の旋回に際して、ホルダ８に収納された収納箱７が旋回体２の周囲の物体に干渉することを防止できる。
【００３７】
また、本第１実施形態は、ホルダ８内に雨水が浸入することがあっても、その雨水をホルダ８の開口部８ｇからホルダ８の外部へ排出させることができる。すなわち、ホルダ８内に雨水が溜まらない状態にすることができ、収納箱７を保護することができる。また、ホルダ８の内部を清掃する場合、清掃に活用された清掃液体をホルダ８の開口部８ｇからホルダ８の外部へ排出させることができ、ホルダ８の内部の清掃作業を能率良く行うことができる。
【００３８】
また、本第１実施形態は、ホルダ８に、収納箱７を把持する人の手との干渉を避ける切り欠き部８ｈを設けたことから、収納箱７を把持して容易にホルダ８に収納させることができる。また、収納箱７を手で把持してホルダ８から容易に取り出すことができる。このように本第１実施形態は、収納箱７のホルダ８への収容作業及びホルダ８からの取り出し作業を円滑に行うことができる。
【００３９】
図１２に要部を示す第２実施形態は、収納箱７が収容されるホルダ１０を、保持部材６に固定される第１分割部１１と、保持部材６に移動可能に取り付けられる第２分割部１２とから成る構成にしてある。その他の構成は、上述した第１実施形態に係るミニショベルと同じである。
【００４０】
図１３〜１６に示すように、この第２実施形態に備えられるホルダ１０の第１分割部１１は、底板１１ａと、この底板１１ａの一端から立設される側板１１ｂと、この側板１１ｂに一端が接続される背面板１１ｃと、側板１１に一端が接続され、背面板１１ｃに対向するように配置される前面板１１ｄとを備え、上部と、第２分割部１２に対向する側部とが、それぞれ開放部１１ｅ，１１ｆとなっている。背面板１１ｃの下側に開口部１１ｈを形成してある。
【００４１】
底板１１ａの下部には、第１分割部１１を保持部材６に取り付ける取り付け部１１ｇを接続してある。この取り付け部１１ｇには、ボルト１３ａが挿入される穴部１１ｉを形成してある。この穴部１１ｉに対向する底板１１ａの部分には、ボルト１３ａを回転させる図示しない締結具の挿入が可能な切り欠き状の穴部１１ａ１を形成してある。第１分割部１１は、取り付け部１１ｇの穴部１１ｉに挿入されたボルト１３ａによって保持部材６に固定してある。
【００４２】
また、ホルダ１０の第２分割部１２は、底板１２ａと、この底板１２ａの他端から立設される側板１２ｂと、この側板１２ｂに他端が接続される背面板１２ｃと、側板１２ｂに他端が接続され、背面板１２ｃに対向するように配置される前面板１２ｄとを備え、上部と、第１分割部１１に対向する側部とが、それぞれ開放部１２ｅ，１２ｆとなっている。背面板１２ｃの下側に開口部１２ｈを形成してある。
【００４３】
底板１２ａの下部には、第２分割部１２を保持部材６に取り付ける取り付け部１２ｇを接続してある。この取り付け部１２ｇには、ボルト１３ｂが挿入される長穴１２ｉを形成してある。この長穴１２ｉに対向する底板１２ａの部分には、ボルト１３ｂを回転させる図示しない締結具の挿入が可能な長い切り欠き形状の穴部１２ａ１を形成してある。ボルト１３ｂによって取り付け部１２ｇが保持部材６に固定されるが、ボルト１３ｂを適宜緩めることにより、ボルト１３ｂが長穴１２ｉ内を相対的に移動し、第２分割部１２は、図１４に示すように第１分割部１１に近づく方向に、または図１３に示すように離れる方向に移動可能になっている。第２分割部１２の移動位置は、例えば収納箱７の横寸法の大きさに応じて決められる。収納箱７は、ホルダ１０の第１分割部１１の開放部１１ｅ及び第２分割部１２の開放部１２ｅからホルダ１０の内部に収容される。
【００４４】
このように構成した第２実施形態は、第１実施形態と同等の作用効果が得られる他、第１分割部１１と第２分割部１２との間隔を調整することにより横寸法の異なる複数の収納箱７のそれぞれを個別に、ホルダ１０に収容して保持させることができる。
【００４５】
図１７に示す第３実施形態は、側部が曲面を形成する筒状のホルダ２０を備えた構成にしてある。その他の構成は、上述した第１実施形態に係るミニショベルと同じである。
【００４６】
図１８〜２０に示すように、この第３実施形態に備えられるホルダ２０は、底板２０ａと、この底板２０ａの一端側から立設され、曲面を形成する側板２０ｂと、底板２０ａの他端側から立設され、曲面を形成する側板２０ｃと、側板２０ｂ，２０ｃに両端が接続される背面板２０ｄと、背面板２０ｄに対向するように配置され、側板２０ｂ，２０ｃに両端が接続される前面板２０ｅとを備え、上部が収納箱７の挿入が可能な開放部２０ｆとなっている。背面板２０ｄの下方箇所に雨水を排出させる開口部２０ｈを形成してある。
【００４７】
底板２０ａの下部には、ホルダ２０を保持部材６に取り付ける取り付け部２０ｇを接続してある。この取り付け部２０ｇには、図示しないボルトが挿入される穴部２０ｇ１，２０ｇ２を形成してある。これらの穴部２０ｇ１，２０ｇ２に対向する底板２０ａの部分には、図示しないボルトを回転させる図示しない締結具の挿入が可能な切り欠き状の穴部２０ａ１，２０ａ２を形成してある。ホルダ２０は、取り付け部２０ｇの穴部２０ｇ１，２０ｇ２に挿入された図示しないボルトによって保持部材６に固定してある。
【００４８】
このように構成した第３実施形態は、第１実施形態と同等の作用効果が得られる他、側部が曲面を形成する収納箱７の収容に好適である。
【００４９】
なお、上述した各実施形態は、カウンタウェイト２に取り付けられた台座５に固定した保持部材６にホルダ８，１０，２０を取り付けるようにしたが、キャノピ４の支柱４ａを台座５に安定して取り付けることができる場合には、保持部材６を除き、ホルダ８，１０，２０を台座５に直接に取り付けるようにしてもよい。このように構成したものでは、収納箱７の収容領域をより大きくすることができる。
【００５０】
また、上述した各実施形態は、ホルダ８，１０，２０を運転席３の背もたれ３ａに沿うように傾斜させて配置してあるが、運転席３の背もたれ３ａの背面側に十分に広いデッドスペースを確保し得るような場合には、ホルダ８，１０，２０を傾斜させないで、鉛直面内に位置するように立設配置させてもよい。
【００５１】
また、上述した各実施形態において、傾斜させたホルダ８，１０，２０をキャノピ４の支柱４ａに係止させるホルダ８，１０，２０の倒れ防止具を備えた構成にしてもよい。このように構成したものでは、ホルダ８，１０，２０をより安定して設置することができる。
【符号の説明】
【００５２】
１    旋回体
２    カウンタウェイト
２ａ  外周面
３    運転席
３ａ  背もたれ
４    キャノピ
４ａ  支柱
５    台座
６    保持部材
７    収納箱
７ａ  上端部
８    ホルダ
８ｆ  開放部
８ｇ  開口部
８ｈ  切り欠き部
８ｉ  取り付け部
９ａ  ボルト
９ｂ  ボルト
１０    ホルダ
１１    第１分割部
１１ｅ  開放部
１１ｆ  開放部
１１ｇ  取り付け部
１１ｈ  開口部
１２    第２分割部
１２ｅ  開放部
１２ｆ  開放部
１２ｇ  取り付け部
１２ｈ  開口部
１２ｉ  長穴
２０    ホルダ
２０ｆ  開放部
２０ｇ  取り付け部
２０ｈ  開口部
【図１】
0006035269.tif 000002
【図２】
0006035269.tif 000003
【図３】
0006035269.tif 000004
【図４】
0006035269.tif 000005
【図５】
0006035269.tif 000006
【図６】
0006035269.tif 000007
【図７】
0006035269.tif 000008
【図８】
0006035269.tif 000009
【図９】
0006035269.tif 000010
【図１０】
0006035269.tif 000011
【図１１】
0006035269.tif 000012
【図１２】
0006035269.tif 000013
【図１３】
0006035269.tif 000014
【図１４】
0006035269.tif 000015
【図１５】
0006035269.tif 000016
【図１６】
0006035269.tif 000017
【図１７】
0006035269.tif 000018
【図１８】
0006035269.tif 000019
【図１９】
0006035269.tif 000020
【図２０】
0006035269.tif 000021